(57)【要約】【課題】アンプルなど割れやすい物品の包装に最適な緩衝構造を備える。【解決手段】緩衝部２は、中蓋に略直角に折曲されて緩衝部全体を支持する支持面２１と、この面に略直角に折曲されて中蓋との間に第１の緩衝空間を介して配置される物品外周部保護面２２と、この面の一部に略直角に折曲されて中蓋に接着固定される物品外周部保護面支持部２３と、この面に略直角に折曲されて側面との間に第２の緩衝空間を介して配置される物品底部保護面２４と、この面に略直角に折曲されて底面に接着固定される固定面２５とを備え、箱の内部に中蓋、側面に沿って略Ｌ字形の緩衝空間２０が画成される。【選択図】図２
2012041082.tif 000002
【特許請求の範囲】
【請求項１】
略直方体形状の箱からなり、前記箱内部に一体的に形成され、前記箱内部に収納する物品を前記箱外部の衝撃から保護する緩衝部を備えた包装用箱において、
前記緩衝部は前記箱を構成する各面のうち、前記物品の外周部に対向する一面で当該一面において前記物品の頂部側に対応する一端部に延長して形成された緩衝部形成形状部からなり、
前記緩衝部形成形状部は、
前記箱の一面の一端部に前記箱の内部側に向けて略直角に折り曲げ可能に連続し、前記箱の一面との間に第１の緩衝空間を形成し、前記緩衝部形成形状部全体を支持するための支持面と、
前記支持面に前記箱の一面の内側面に対して略平行となるように略直角に折り曲げ可能に連続し、前記箱の一面の内側面との間に前記第１の緩衝空間を介して当該内側面に沿って配置され、前記物品の外周部に接触して、当該物品を保護するための物品外周部保護面と、
前記物品外周部保護面の一部に前記箱の一面に向けて略直角に折り曲げ可能に形成され、前記箱の一面の内側面に接着固定されて、当該内側面に対して前記物品外周部保護面を突っ張り支持するための物品外周部保護面支持部と、
前記物品外周部保護面に前記箱を構成する各面のうち、前記物品の底部に対向する他の一面との間に前記第１の緩衝空間に連続する第２の緩衝空間を形成して前記他の一面の内側面に対して略平行となるように略直角に折り曲げ可能に連続し、前記他の一面の内側面との間に前記第２の緩衝空間を介して当該内側面に沿って配置され、前記物品の底部に接触して、当該物品を保護するための物品底部保護面と、
前記物品底部保護面に前記箱を構成する各面のうち、前記箱の一面に対向する反対側の一面の内側面に対して接触するように略直角に折り曲げ可能に連続し、前記反対側の一面の内側面に接着固定される固定面と、
を備え、
前記箱の内部に略Ｌ字形の緩衝空間が画成される、
ことを特徴とする包装用箱。
【請求項２】
箱は、略矩形状の底面と４面の側面とからなり、天面を開口され、複数の物品をそれぞれ各物品の上下方向を前記底面の短辺方向と平行に横置きにして水平方向に並列に並べて収納可能な箱本体と、前記４面の側面のうち、前記各物品の底部に対向する一側面の上縁部に連続し、前記天面を閉鎖可能な中蓋、及び前記各物品の頂部に対向する他側面の上縁部に連続し、前記中蓋の上に重ね合わせて前記天面を閉鎖可能な上蓋とを備え、緩衝部形成形状部は前記中蓋の前記物品の頂部側に対応する一端部の延長上に形成される請求項１に記載の包装用箱。
【請求項３】
緩衝部形成形状部の支持面、物品外周部保護面、物品底部保護面、及び固定面はそれぞれ、略四角形又は略台形に選択的に形成される請求項１又は２に記載の包装用箱。
【請求項４】
緩衝部形成形状部の物品外周部保護面支持部は、略Ｌ字形に折り曲げ可能な２面からなり、前記箱の一面の内側面に向けて延び、前記物品外周部保護面を突っ張り支持するための支持部、及び前記箱の一面の内側面に接着固定するための固定部を有する請求項１乃至３のいずれかに記載の包装用箱。
【請求項５】
物品底部保護面の一部に箱の他の一面に向けて略直角に折り曲げ可能に形成され、前記箱の他の一面の内側面に接着固定されて、当該内側面に対して前記物品底部保護面を突っ張り支持するための物品底部保護面支持部を併せて備える請求項１乃至４のいずれかに記載の包装用箱。
【請求項６】
緩衝部形成形状部の物品底部保護面支持部は、略Ｌ字形に折り曲げ可能な２面からなり、箱の他の一面の内側面に向けて延び、前記物品底部保護面を突っ張り支持するための支持部、及び前記箱の他の一面の内側面に接着固定するための固定部を有する請求項５に記載の包装用箱。
【請求項７】
略直方体形状の箱からなり、前記箱内部に一体的に形成され、前記箱内部に収納する物品を前記箱外部の衝撃から保護する緩衝部を備えた包装用箱において、
前記緩衝部は前記箱を構成する各面のうち、前記物品の外周部に対向する一面で当該一面において前記物品の頂部側に対応する一端部に延長して形成された緩衝部形成形状部からなり、
前記緩衝部形成形状部は、
前記箱の一面の一端部に前記箱の内部側に向けて略直角に折り曲げ可能に連続し、前記箱の一面との間に第１の緩衝空間を形成し、前記緩衝部形成形状部全体を支持するための支持面と、
前記支持面に前記箱の一面の内側面に対して略平行となるように略直角に折り曲げ可能に連続し、前記箱の一面の内側面との間に前記第１の緩衝空間を介して当該内側面に沿って配置され、前記物品の外周部に接触して、当該物品を保護するための第１の物品外周部保護面と、
前記第１の物品外周部保護面の一部に前記箱の一面に向けて略直角に折り曲げ可能に形成され、前記箱の一面の内側面に接着固定されて、当該内側面に対して前記物品外周部保護面を突っ張り支持するための第１の物品外周部保護面支持部と、
前記第１の物品外周部保護面に前記箱を構成する各面のうち、前記物品の底部に対向する他の一面との間に前記第１の緩衝空間に連続する第２の緩衝空間を形成して前記他の一面の内側面に対して略平行となるように略直角に折り曲げ可能に連続し、前記他の一面の内側面との間に前記第２の緩衝空間を介して当該内側面に沿って配置され、前記物品の底部に接触して、当該物品を保護するための物品底部保護面と、
前記物品底部保護面に前記箱を構成する各面のうち、前記箱の一面に対向する反対側の一面との間に前記第２の緩衝空間に連続する第３の緩衝空間を形成して前記反対側の一面の内側面に対して略平行となるように略直角に折り曲げ可能に連続し、前記反対側の一面の内側面との間に前記第３の緩衝空間を介して当該内側面に沿って配置され、前記第１の物品外周部保護面の反対側で前記物品の外周部に接触して、当該物品を保護するための第２の物品外周部保護面と、
前記第２の物品外周部保護面の一部に前記反対側の一面に向けて略直角に折り曲げ可能に形成され、前記反対側の一面の内側面に接着固定されて、当該内側面に対して前記第２の物品外周部保護面を突っ張り支持するための第２の物品外周部保護面支持部と、
前記第２の物品外周部保護面に前記反対側の一面の内側面に向けて略直角にかつ当該内側面に対して接触するように折り曲げ可能に連続し、前記他方の一面の内側面に接着固定される固定面と、
を備え、
前記箱の内部に略Ｕ字形の緩衝空間が画成される、
ことを特徴とする包装用箱。
【請求項８】
物品底部保護面の一部に箱の他の一面に向けて略直角に折り曲げ可能に形成され、前記箱の他の一面の内側面に接着固定されて、当該内側面に対して前記物品底部保護面を突っ張り支持するための物品底部保護面支持部を併せて備える請求項７に記載の包装用箱。
【発明の詳細な説明】
【技術分野】
【０００１】
本発明は、ガラス容器など割れやすい物品の包装に使用する包装用箱に関する。
【背景技術】
【０００２】
従来、アンプルその他薬液を収容するガラス容器など、割れやすい物品を包装用の紙箱等に収納する場合、物品を紙箱外部の衝撃から守るために、紙箱とガラス容器との隙間に発泡部材やエアーキャップなどの緩衝材が介装されていたところ、このような包装形式では、紙箱とは別体の緩衝材を準備する必要があり、また、包装工程が煩雑化して、包装コストが増大するため、１枚のブランク板を折り畳んで組み立てられる紙箱において、紙箱の内部に緩衝部を一体的に備えたものが提案された。このような技術は例えば特許文献１などに開示されている。この文献１の紙箱では、物品の収納空間の天面全面に２重構造が採られ、物品を紙箱外部の衝撃から保護するようになっている。
【０００３】
しかしながら、上記文献１の紙箱においては、２重構造の箱内部側の面を構成する蓋緩衝部が、物品の収納空間の側面に近接する端位置においてのみ上蓋に連結されるため、このような蓋緩衝部の構造では、蓋緩衝部の中央部が押圧されると容易に撓みが生じ、アンプルその他薬液を収容するガラス容器などの包装のように、複数のガラス容器がそれぞれ横置きにして横一列に並べて収納される場合、箱内部に収納されたガラス容器の外周部に対して十分な緩衝効果を得ることが難しい。そこで、物品の外部衝撃による破損及び散逸を効果的に防止するために、天面内部において十分な緩衝効果が得られる緩衝構造を備えた包装用箱が創案され、これが特許文献２により提案された。
【０００４】
この文献２の包装用箱は、一枚紙の箱形成用基板を折り曲げて組み立てられるもので、天面を開放した下箱部と、天面の一部を閉鎖する中蓋部と、中蓋部を上から覆い天面を閉鎖する上蓋部とからなり、中蓋部が、当接部、連結支持部、中蓋板が順に折れ線を介して連設された緩衝部形成板により形成される。この場合、当接部は連結支持部により中蓋板から所定間隔をなすように保持されて中蓋部が２重構造に形成される。連結支持部は、当接部と物品との当接位置（好ましくは天面の略中央部）に配置され、一列に配列された物品の端から端まで届く長さとされる。このように天面と略平行にかつ天面と所定の間隔をなすように当接面が設けられて天面の一部が２重構造に構成され、そして、当接面と物品との当接位置において当接面が支持面に接続されるようにしたことにより、支持面が設けられた位置では、この支持面により当接面が弾性的に支持されて当接部が撓みにくくなり、外部からの衝撃に対して十分な緩衝効果が得られ、物品の破損及び散逸を効果的に防止できるようになっている。
【先行技術文献】
【特許文献】
【０００５】
【特許文献１】実用新案登録第２５６２６４８号公報
【特許文献２】特開２００６−３１２４９１公報
【発明の概要】
【発明が解決しようとする課題】
【０００６】
ところで、上記文献２の包装用箱では、既述のとおり、当接面と物品との当接位置において当接面が支持面に接続されるから、支持面が物品に確実に当接する位置において十分な緩衝効果を得るには、支持面は、当接面が接続される側面と略平行で天面の略中央に位置することが必要となるが、このため、支持面の位置は制限され、その結果、中蓋部全体のデザインの自由度が制限される、という問題がある。また、この包装用箱の場合、天面のみが２重構造になっていて、特に、アンプルその他薬液を収容するガラス容器など割れやすい物品の包装に使用することを考慮すると、十分な緩衝効果が得られているとは言い難く、緩衝効果の点で、さらなる改善が求められている。
【０００７】
本発明は、このような従来の問題を解決するものであり、この種の包装用箱において、緩衝部の支持面の位置や中蓋のデザインの自由度が制限されることがなく、特に、アンプルその他薬液を収容するガラス容器など割れやすい物品の包装に最適な緩衝構造を備えること、を目的とする。
【課題を解決するための手段】
【０００８】
上記目的を達成するために、本発明の包装用箱は、略直方体形状の箱からなり、前記箱内部に一体的に形成され、前記箱内部に収納する物品を前記箱外部の衝撃から保護する緩衝部を備えた包装用箱において、前記緩衝部は前記箱を構成する各面のうち、前記物品の外周部に対向する一面で当該一面において前記物品の頂部側に対応する一端部に延長して形成された緩衝部形成形状部からなり、前記緩衝部形成形状部は、前記箱の一面の一端部に前記箱の内部側に向けて略直角に折り曲げ可能に連続し、前記箱の一面との間に第１の緩衝空間を形成し、前記緩衝部形成形状部全体を支持するための支持面と、前記支持面に前記箱の一面の内側面に対して略平行となるように略直角に折り曲げ可能に連続し、前記箱の一面の内側面との間に前記第１の緩衝空間を介して当該内側面に沿って配置され、前記物品の外周部に接触して、当該物品を保護するための物品外周部保護面と、前記物品外周部保護面の一部に前記箱の一面に向けて略直角に折り曲げ可能に形成され、前記箱の一面の内側面に接着固定されて、当該内側面に対して前記物品外周部保護面を突っ張り支持するための物品外周部保護面支持部と、前記物品外周部保護面に前記箱を構成する各面のうち、前記物品の底部に対向する他の一面との間に前記第１の緩衝空間に連続する第２の緩衝空間を形成して前記他の一面の内側面に対して略平行となるように略直角に折り曲げ可能に連続し、前記他の一面の内側面との間に前記第２の緩衝空間を介して当該内側面に沿って配置され、前記物品の底部に接触して、当該物品を保護するための物品底部保護面と、前記物品底部保護面に前記箱を構成する各面のうち、前記箱の一面に対向する反対側の一面の内側面に対して接触するように略直角に折り曲げ可能に連続し、前記反対側の一面の内側面に接着固定される固定面とを備え、前記箱の内部に略Ｌ字形の緩衝空間が画成される、ことを要旨とする。
また、この包装用箱は各部が次のように具体化されることが好ましい。
（１）箱は、略矩形状の底面と４面の側面とからなり、天面を開口され、複数の物品をそれぞれ各物品の上下方向を前記底面の短辺方向と平行に横置きにして水平方向に並列に並べて収納可能な箱本体と、前記４面の側面のうち、前記各物品の底部に対向する一側面の上縁部に連続し、前記天面を閉鎖可能な中蓋、及び前記各物品の頂部に対向する他側面の上縁部に連続し、前記中蓋の上に重ね合わせて前記天面を閉鎖可能な上蓋とを備え、緩衝部形成形状部は前記中蓋の前記物品の頂部側に対応する一端部の延長上に形成される。
（２）緩衝部形成形状部の支持面、物品外周部保護面、物品底部保護面、及び固定面はそれぞれ、略四角形又は略台形に選択的に形成される。
（３）緩衝部形成形状部の物品外周部保護面支持部は、略Ｌ字形に折り曲げ可能な２面からなり、前記箱の一面の内側面に向けて延び、前記物品外周部保護面を突っ張り支持するための支持部、及び前記箱の一面の内側面に接着固定するための固定部を有する。
（４）物品底部保護面の一部に箱の他の一面に向けて略直角に折り曲げ可能に形成され、前記箱の他の一面の内側面に接着固定されて、当該内側面に対して前記物品底部保護面を突っ張り支持するための物品底部保護面支持部を併せて備える。
（５）緩衝部形成形状部の物品底部保護面支持部は、略Ｌ字形に折り曲げ可能な２面からなり、箱の他の一面の内側面に向けて延び、前記物品底部保護面を突っ張り支持するための支持部、及び前記箱の他の一面の内側面に接着固定するための固定部を有する。
【０００９】
さらに、上記目的を達成するために、本発明の包装用箱は、略直方体形状の箱からなり、前記箱内部に一体的に形成され、前記箱内部に収納する物品を前記箱外部の衝撃から保護する緩衝部を備えた包装用箱において、前記緩衝部は前記箱を構成する各面のうち、前記物品の外周部に対向する一面で当該一面において前記物品の頂部側に対応する一端部に延長して形成された緩衝部形成形状部からなり、前記緩衝部形成形状部は、前記箱の一面の一端部に前記箱の内部側に向けて略直角に折り曲げ可能に連続し、前記箱の一面との間に第１の緩衝空間を形成し、前記緩衝部形成形状部全体を支持するための支持面と、前記支持面に前記箱の一面の内側面に対して略平行となるように略直角に折り曲げ可能に連続し、前記箱の一面の内側面との間に前記第１の緩衝空間を介して当該内側面に沿って配置され、前記物品の外周部に接触して、当該物品を保護するための第１の物品外周部保護面と、前記第１の物品外周部保護面の一部に前記箱の一面に向けて略直角に折り曲げ可能に形成され、前記箱の一面の内側面に接着固定されて、当該内側面に対して前記物品外周部保護面を突っ張り支持するための第１の物品外周部保護面支持部と、前記第１の物品外周部保護面に前記箱を構成する各面のうち、前記物品の底部に対向する他の一面との間に前記第１の緩衝空間に連続する第２の緩衝空間を形成して前記他の一面の内側面に対して略平行となるように略直角に折り曲げ可能に連続し、前記他の一面の内側面との間に前記第２の緩衝空間を介して当該内側面に沿って配置され、前記物品の底部に接触して、当該物品を保護するための物品底部保護面と、前記物品底部保護面に前記箱を構成する各面のうち、前記箱の一面に対向する反対側の一面との間に前記第２の緩衝空間に連続する第３の緩衝空間を形成して前記反対側の一面の内側面に対して略平行となるように略直角に折り曲げ可能に連続し、前記反対側の一面の内側面との間に前記第３の緩衝空間を介して当該内側面に沿って配置され、前記第１の物品外周部保護面の反対側で前記物品の外周部に接触して、当該物品を保護するための第２の物品外周部保護面と、前記第２の物品外周部保護面の一部に前記反対側の一面に向けて略直角に折り曲げ可能に形成され、前記反対側の一面の内側面に接着固定されて、当該内側面に対して前記第２の物品外周部保護面を突っ張り支持するための第２の物品外周部保護面支持部と、前記第２の物品外周部保護面に前記反対側の一面の内側面に向けて略直角にかつ当該内側面に対して接触するように折り曲げ可能に連続し、前記他方の一面の内側面に接着固定される固定面とを備え、前記箱の内部に略Ｕ字形の緩衝空間が画成される、ことを要旨とする。
この場合、物品底部保護面の一部に箱の他の一面に向けて略直角に折り曲げ可能に形成され、前記箱の他の一面の内側面に接着固定されて、当該内側面に対して前記物品底部保護面を突っ張り支持するための物品底部保護面支持部を併せて備えることが好ましい。
【発明の効果】
【００１０】
本発明の包装用箱では、緩衝部が、箱を構成する各面のうち、物品の外周部に対向する一面で当該一面において物品の頂部側に対応する一端部に延長して形成された緩衝部形成形状部により、箱の一面の内部側に向けて略直角に折り曲げられて、箱の一面との間に第１の緩衝空間を形成し、緩衝部全体を支持するための支持面と、この支持面に略直角に折り曲げられて、箱の一面の内側面との間に第１の緩衝空間を介して当該内側面に沿って配置され、物品の外周部に接触して、当該物品を保護するための物品外周部保護面と、この物品外周部保護面の一部に箱の一面に向けて略直角に折り曲げられ、箱の一面の内側面に接着固定されて、当該内側面に対して物品外周部保護面を突っ張り支持するための物品外周部保護面支持部と、この物品外周部保護面に略直角に折り曲げられて、物品の底部に対向する他の一面の内側面との間に第２の緩衝空間を介して当該内側面に沿って配置され、物品の底部に接触して、当該物品を保護するための物品底部保護面と、この物品底部保護面に略直角に折り曲げられて、箱の一面に対向する反対側の一面の内側面に接着固定される固定面とを備え、箱の内部に箱の一面及び他の一面の各内側面に沿って略Ｌ字形の緩衝空間が画成される。すなわち、物品外周部保護面は、この物品外周部保護面と箱の一面の内側面との間に固定される物品外周部保護面支持部により突っ張り支持されるので、当該保護面は撓みにくく、また、物品外周部保護面支持部がばね作用を有するので、当該保護面全体が十分な弾性（クッション性）を有し、このため、従来のように、物品に対して十分な緩衝効果を得るために、当接面（本発明の場合、物品外周部保護面）と物品との当接位置において当接面が支持面に接続されるようにする必要がなく、したがって支持面の位置が何ら制限されることがなく、中蓋部（本発明の場合、箱の一面）のデザインの自由度が制限されることもない。そして、この緩衝部の場合、箱の内部に箱の一面及び他の一面の各内側面に沿って略Ｌ字形の緩衝空間を介して物品外周部保護面及び物品底部保護面が配置され、この箱の内部に収納される物品の外周部及び底部に対向する２面が２重構造になっているので、特に、アンプルその他薬液を収容するガラス容器などの包装において、十分な緩衝効果を得ることができ、物品の破損を確実に防止することができる。
【００１１】
また、本発明の包装用箱では、物品の外周部に対向する一面で当該一面において物品の頂部側に対応する一端部に延長して形成された緩衝部形成形状部により、箱の一面の内部側に向けて略直角に折り曲げられて、箱の一面との間に第１の緩衝空間を形成し、緩衝部全体を支持するための支持面と、この支持面に略直角に折り曲げられて、箱の一面の内側面との間に第１の緩衝空間を介して当該内側面に沿って配置され、物品の外周部に接触して、当該物品を保護するための第１の物品外周部保護面と、この第１の物品外周部保護面の一部に箱の一面に向けて略直角に折り曲げられ、箱の一面の内側面に接着固定されて、当該内側面に対して第１の物品外周部保護面を突っ張り支持するための第１の物品外周部保護面支持部と、この第１の物品外周部保護面に略直角に折り曲げられて、物品の底部に対向する他の一面の内側面との間に第２の緩衝空間を介して当該内側面に沿って配置され、物品の底部に接触して、当該物品を保護するための物品底部保護面と、この物品底部保護面に略直角に折り曲げられて、箱の一面に対向する反対側の一面の内側面との間に第３の緩衝空間を介して当該内側面に沿って配置され、箱の一面とは反対側で物品の外周部に接触して、当該物品を保護するための第２の物品外周部保護面と、この第２の物品外周部保護面の一部に反対側の一面に向けて略直角に折り曲げられ、反対側の一面の内側面に接着固定されて、当該内側面に対して第２の物品外周部保護面を突っ張り支持するための第２の物品外周部保護面支持部と、この第２の物品外周部保護面に略直角に折り曲げられて、反対側の一面の内側面に接着固定される固定面とを備え、箱の内部に箱の一面、他の一面及び反対側の一面の各内側面に沿って略Ｕ字形の緩衝空間が画成される。すなわち、第１の物品外周部保護面は、この第１の物品外周部保護面と箱の一面の内側面との間に固定される第１の物品外周部保護面支持部により突っ張り支持されるので、当該保護面は撓みにくく、また、第１の物品外周部保護面支持部がばね作用を有するので、当該保護面全体が十分な弾性を有し、このため、従来のように、物品に対して十分な緩衝効果を得るために、当接面（本発明の場合、物品外周部保護面）と物品との当接位置において当接面が支持面に接続されるようにする必要がなく、したがって支持面の位置が何ら制限されることがなく、中蓋部（本発明の場合、箱の一面）のデザインの自由度が制限されることもない。第２の物品外周部保護面についても第１の物品外周部保護面と同様の作用効果がある。そして、この緩衝部の場合、箱の内部に箱の一面、他の一面及び反対側の一面の各内側面に沿って略Ｕ字形の緩衝空間を介して第１の物品外周部保護面、物品底部保護面及び第２の物品外周部保護面が配置され、この箱の内部に収納される物品の外周部、反対側の外周部及び底部に対向する３面が２重構造になっているので、特に、アンプルその他薬液を収容するガラス容器などの包装において、緩衝効果はさらに増大し、物品の破損をより確実に防止することができる。
【図面の簡単な説明】
【００１２】
【図１】本発明の第１の実施の形態における包装用箱の全体構成を示す斜視図
【図２】同包装用箱の全体構成を内部の構成とともに示す斜視図
【図３】（ａ）同包装用箱の特に緩衝部の構成を示す側面断面図（図２のＡ−Ａ線断面図）          （ｂ）同包装用箱の特に緩衝部の構成を示す側面断面図（図２のＢ−Ｂ線断面図）
【図４】同包装用箱の組み立てる前の紙基材の平面図（展開図）
【図５】同包装用箱の上蓋を開封した状態を示す斜視図
【図６】本発明の第２の実施の形態における包装用箱の特に緩衝部の構成を示す斜視図
【発明を実施するための形態】
【００１３】
次に、この発明を実施するための形態について図を用いて説明する。図１乃至図５に第１の実施の形態を示している。図１及び図２に示すように、包装用箱Ｂ１は、略直方体形状の箱１からなり、箱１内部に、この箱１内部に収納する物品を箱１外部の衝撃から保護するための緩衝部２を一体に備える。なお、ここで例示する包装用箱Ｂ１は、アンプルその他薬液を収容するガラス容器などの割れやすい物品（以下の第１の実施の形態の説明において、単に「アンプル」という。）を包装するための厚紙その他の紙材からなる紙の箱で、全体が、複数のアンプルをそれぞれ横置きにして水平方向に並列に並べて収納可能な直方体形状になっている。
【００１４】
図１及び図３に示すように、箱１は略矩形状の底面１１とこの底面１１をその４辺に沿って取り囲む４面の側面１２、１３、１４、１５とからなり、天面を開口されて、複数のアンプルをそれぞれ、各アンプルの上下方向を底面の短辺方向と平行に横置きにして水平方向に並列に並べて収納可能な箱本体１０と、４面の側面１２〜１５のうち、各アンプルの底部に対向する長い一方の側面１２の上縁部に連続し、天面を閉鎖可能な中蓋１６、及び各アンプルの頂部に対向する長い他方の側面１４の上縁部に連続し、天面を中蓋１６の上から閉鎖する上蓋１７とを備え、天面が他方の側面１４とともに開封可能に構成される。
【００１５】
図２及び図３に示すように、緩衝部２は、箱１を構成する各面１１〜１７のうち、アンプルの外周部に対向する一面で当該一面においてアンプルの頂部側に対応する一端部、この場合、中蓋１６のアンプルの頂部側に対応する一端部に延長して形成され、中蓋１６の一端部に箱１の内部側に向けて略直角に連続し、中蓋１６との間に第１の緩衝空間２０１を形成し、緩衝部２全体を支持するための支持面２１と、この支持面２１に中蓋１６に対して平行となるように略直角に連続し、中蓋１６の内側面との間に第１の緩衝空間２０１を介して当該内側面に沿って配置され、アンプルの外周部に接触して、アンプルを保護するための物品外周部保護面２２と、この物品外周部保護面２２の一部に中蓋１６に向けて略直角に連続し、中蓋１６の内側面に接着固定されて、当該内側面に対して物品外周部保護面２２を突っ張り支持するための物品外周部保護面支持部２３と、物品外周部保護面２２に箱１を構成する各面のうち、アンプルの底部に対向する一方の側面１２との間に第１の緩衝空間２０１に連続する第２の緩衝空間２０２を形成して一方の側面１２の内側面に対して平行となるように略直角に連続し、一方の側面１２の内側面との間に第２の緩衝空間２０２を介して当該内側面に沿って配置され、アンプルの底部に接触して、アンプルを保護するための物品底部保護面２４と、この物品底部保護面２４に箱１を構成する各面のうち、中蓋１６に対向する反対側の面でアンプルの外周部に対向する面、すなわち底面１１の内側面に沿って面接触するように側面１４に向けて略直角に連続し、底面１１の内側面に接着固定される固定面２５とを備える。また、この緩衝部２の場合、物品外周部保護面支持部２３は、略Ｌ字形に折り曲げ可能な２面からなり、箱１の中蓋１６の内側面に向けて延び、物品外周部保護面２２を突っ張り支持するための支持部２３１、及び中蓋１６の内側面に接着固定するための固定部２３２を有する。このようにして箱１の内部に略Ｌ字形の緩衝空間２０が画成される。
【００１６】
これらの箱１及び緩衝部２はブランクシート（空白紙）を打ち抜いて一体に形成された一枚の紙基材からなり、この紙基材を折り曲げて組み立てることにより形成される。
【００１７】
図４に示すように、この紙基材Ｐは、一端側に上蓋１７をなす矩形状の上蓋部分１７Ｐが形成され、この上蓋部分１７Ｐの一方の長辺側に、箱１の長い他方の側面１４をなす矩形状の長い他方の側面部分１４Ｐ、底面１１をなす矩形状の底面部分１１Ｐ、長い一方の側面１２をなす矩形状の長い一方の側面部分１２Ｐ、中蓋１６をなす矩形状の中蓋部分１６Ｐ、緩衝部２を形成するための複合形状からなる緩衝部形成形状部２Ｐが順次、折れ線３１、３２、３３、３４、３５を介して連続して形成され、さらに、上蓋部分１７Ｐの両短辺側にそれぞれ折れ線３６１、３６２を介して延出され、箱１の短い各側面１３、１５をなす短い上側の側面部分１３１Ｐ、１５１Ｐ、長い他方の側面部分１４Ｐの両短辺側にそれぞれ折れ線３７１、３７２を介して延出されるフラップ１８１、１８２と、底面部分１１Ｐの両短辺側にそれぞれ折れ線３８１、３８２を介して延出され、箱１の短い各側面１３、１５をなす短い下側の側面部分１３２Ｐ、１５２Ｐと、長い一方の側面部分１２Ｐの両短辺側にそれぞれ折れ線３９１、３９２を介して延出されるフラップ１９１、１９２とを備える。また、この場合、上蓋部分１７Ｐには、他方の長辺側の中央部に先端が当該長辺から僅かに突出し、両側に切り込み４１１、４１１が入れられてなる開封用のつまみ片４１と、このつまみ片４１の両側の切り込み４１１、４１１の各基端に連続して上蓋部分１７Ｐの両短辺で他方の長い側面部分１４Ｐに近接する所定の位置まで斜めに、さらにその所定の位置から上蓋部分１７Ｐの各短辺、及び長い他方の側面部分１４Ｐの各短辺に亘って延びるミシン目状の切り込み４１２、４１２がそれぞれ形成される。また、この上蓋部分１７Ｐには、つまみ片４１の基部に長い他方の側面部分１４Ｐに向けて舌片状の、この場合、略八角形状の半面をなす爪４２が切り抜き形成され、これに併せて、この爪４２の位置に対応する中蓋部分１６Ｐの所定の位置に両側に箱１の短辺方向に延びる短い直状切り込み部４１３、４１３とこれらの直状切り込み部４１３、４１３の一端部間、この場合、緩衝部形成形状部２Ｐ側の端部間に長い一方の側面部分１２Ｐに向けて膨出する湾曲状切り込み部４１４とからなる爪係止部４３が切り込み形成される。また、この場合、中蓋部分１６Ｐは長辺がそれぞれ上蓋部分１７Ｐの各長辺と同じ長さで、中蓋部分１６Ｐの短辺がそれぞれ上蓋部分１７Ｐの各短辺よりも少し短くなっていて、中蓋部分１６Ｐは箱１の天面全体の一部、この場合、天面全体のうち、箱１の長い一方の側面１２の上端部から長い他方の側面１４の上端部に向けておよそ４分の３当たりまでの範囲を閉鎖し、上蓋部分１７Ｐは天面全体を閉鎖するようになっている。なお、上蓋部分１７Ｐと底面部分１１Ｐ、長い一方の側面部分１２Ｐと長い他方の側面部分１４Ｐ、短い上側一方の各側面部分１３１Ｐ、１５１Ｐ、短い下側他方の各側面部分１３２Ｐ、１５２Ｐ、長い一方の側面部分１２Ｐの各フラップ１９１、１９２、長い他方の側面１４Ｐの各フラップ１８１、１８２はそれぞれ、同じ大きさ、同じ形状になっている。そして、緩衝部形成形状部２Ｐは、中蓋部分１６Ｐの端部に延長して紙基材Ｐの他端側に、緩衝部２の支持面２１をなす矩形状の支持面部分２１Ｐ、物品外周部保護面２２をなす台形状の物品外周部保護面部分２２Ｐ、物品底部保護面２４をなす矩形状の物品底部保護面部分２４Ｐ、固定面２５をなす台形状の固定面部分２５Ｐが順次、折れ線４４〜４７を介して連続して形成され、物品外周部保護面部分２２Ｐと物品底部保護面部分２４Ｐとの間の折れ線４６上の所定の位置、この場合、物品外周部保護面部分２２Ｐの両短辺側に近接する２箇所にそれぞれ、２つの物品外周部保護面支持部分２３Ｐが折れ線４６上に繋ぎ部分を残して物品外周部保護面部分２２Ｐに向けて所定の大きさの略Ｕ字形に切り欠かれて形成され、各物品外周部保護面支持部２３Ｐの繋ぎ部分と先端との間の所定の位置に折れ線４８が付けられる。この折れ線４８の基端側が支持部２３１をなす支持部分２３１Ｐ、先端側が固定部２３２をなす固定部分２３２Ｐとなる。
【００１８】
このような構成からなる紙基材Ｐは、まず、緩衝部形成形状部２Ｐの各部分２２Ｐ〜２５Ｐが次のように折り曲げられて、緩衝部２が組み立てられる。まず初めに、中蓋部分１６Ｐに対して折れ線３５を介して支持面部分２１Ｐがそれぞれの内側面を内側にして略直角に折り曲げられ、中蓋１６の一方の端部に直角に支持面２１が形成される。続いて、この支持面部分２１Ｐに対して折れ線４５を介して物品外周部保護面部分２２Ｐがそれぞれの内側面を内側にして略直角に折り曲げられ、物品外周部保護面２２が中蓋１６の内側面に沿って第１の緩衝空間２０１を介して配置される。これに続いて、物品外周部保護面部分２２Ｐの各物品外周部保護面支持部分２３Ｐ、２３Ｐが物品外周部保護面部分２２Ｐと物品底部保護面部分２４Ｐとの間の折れ線４６上で中蓋部分１６Ｐに向けて略直角に折り曲げられるとともに各物品外周部保護面支持部分２３Ｐ、２３Ｐ上の各折れ線４８、４８を介してその先端側の固定部分２３２Ｐが中蓋部分１６Ｐに沿って略直角のＬ字形に折り曲げられ、各物品外周部保護面支持部２３、２３が物品外周部保護面２２と物品底部保護面２４との間に配置される。続いて、この物品外周部保護面部分２２Ｐに対して折れ線４６を介して物品底部保護面２４Ｐがそれぞれの外側面を内側にして略直角に折り曲げられ、物品底部保護面２４が一方の側面１２の内側面に沿って第２の緩衝空間２０２を介して配置される。続いて、この物品底部保護面部分２４Ｐに対して折れ線４７を介して固定面部分２５Ｐがそれぞれの外側面を内側にして略直角に折り曲げられ、固定面２５が底面１１上に配置される。そして、各物品外周部保護面支持部２３の固定部２３２が中蓋部分１６の内側面に接着固定され、固定面２５が底面１１に沿って接着固定される。なお、これらの接着部分は相互に接着剤を介して圧着固定される。次に、箱１の各部分１１Ｐ〜１７Ｐが折り曲げられて、箱１が組み立てられる。まず、中蓋部分１６Ｐに対して折れ線３４を介して長い一方の側面部分１２Ｐがそれぞれの内側面を内側にして略直角に折り曲げられ、中蓋１６が形成される。続いて、この側面部分１２Ｐに対して折れ線３３を介して底面部分１１Ｐがそれぞれの内側面を内側にして略直角に折り曲げられ、一方の側面１２が形成される。続いて、この底面部分１１Ｐに対して折れ線３２を介して長い他方の側面部分１４Ｐがそれぞれの内側面を内側にして略直角に折り曲げられ、底面１１が形成される。続いて、この側面部分１４Ｐに対して上蓋部分１７Ｐがそれぞれの内側面を内側にして略直角に折り曲げられ、他方の側面１４、上蓋１７がそれぞれ形成され、上蓋１７が中蓋１６の上に重ね合わされる。この折り曲げが終わった段階で箱１の組み立ては一旦中断され、この後の組み立て及び必要箇所の接着は、箱１内部に複数のアンプルが収容された後に、引き続き行われる。この箱１内部にアンプルを収納する場合、複数のアンプルはそれぞれトレイ式のロンドレーション（複数のガラス容器を横置きにして横一例に並べて配置できるように、ガラス容器の外形に合わせて複数の溝が等間隔に並列に形成された緩衝材）に横置きに横一列に並べて配置され、これらのアンプルが各アンプルの底部と箱の物品底部保護面２４とが一致するようにしてこのロンドレーションとともに箱１内部に収納される。このようにして箱１内部に複数のアンプルが収納されると、両側の長い側面部分１２Ｐ、１４Ｐの各短辺のフラップ１９１、１９２、１８１、１８２がそれぞれ内側に向けて略直角に折り曲げられ、この上から両側の下側の短い各側面部分１３２Ｐ、１５２Ｐが内側に向けて略直角に折り曲げられるとともに、これらの短い側面部分１３２Ｐ、１５２Ｐの上から両側の上側の短い側面部分１３１Ｐ、１５１Ｐがそれぞれ内側に略直角に折り曲げられて、両側の短い側面１３、１５が形成される。そして、上蓋１７が中蓋１６の上に重ね合わされて、上蓋１７のつまみ片４１の両側が中蓋１６に接着固定され、各上側の短い側面１３１Ｐ、１５１Ｐが各下側の短い側面１３２Ｐ、１５２Ｐに重ね合わされて、接着固定される。なお、これらの接着部分は相互に接着剤を介して圧着固定される。
【００１９】
このようにして包装用箱Ｂ１は組み立てられ、箱１の内部に複数のアンプルがそれぞれ横置きにして横一列に収納される。そして、この箱１に収納された各アンプルは箱１の内部に一体に立体的に組み立てられた緩衝部２により保護される。この緩衝部２の場合、図３に示すように、箱１の中蓋１６及び一方の側面１２の各内側面に沿って略Ｌ字形の緩衝空間２０を介して物品外周部保護面２２及び物品底部保護面２４が配置され、この箱１の内部に収納される各アンプルの外周部及び底部に対向する２面が２重構造になっていて、これらの物品外周部保護面２２及び物品底部保護面２４により、各アンプルの外周部及び底部が弾性的に当接支持される。この場合、物品外周部保護面２２はこの物品外周部保護面２２と箱１の中蓋１６の内側面との間に固定される物品外周部保護面支持部２３、２３により突っ張り支持されて撓みにくい構造で、また、物品外周部保護面支持部２３、２３がばね作用を有することにより当該保護面２２全体が十分な弾性（クッション作用）を有し、また、物品底部保護面２４はこの物品外周部保護面２２と箱１の底面１１との間に支持固定されるので、箱１に衝撃が加えられても、箱１内部の各アンプルは物品外周部保護面２２及び物品底部保護面２４の略Ｌ字形の保護面によりがたつきを押えられて、安定的に保持され、箱１外部の衝撃を十分に緩和して確実に保護される。
【００２０】
なお、この包装用箱Ｂ１は、図２に示すように、上蓋１７及び他方の側面１４にミシン目状の切り込み４１２が形成されて上蓋１７が他方の側面１４とともに切り開き可能になっており、箱１を開封する場合は、上蓋１７のつまみ片４１を上方に引き上げて他方の側面１４に向けて引張ると、上蓋１７の２方向の斜めのミシン目、続いて上蓋１７両側のミシン目がそれぞれ破断されて、上蓋１７が切り開かれ、さらにつまみ片４１を引っ張ると、他方の側面１４の両側のミシン目がそれぞれ破断されて、他方の側面１４が切り開かれ、図５に示すように、中蓋１６と底面１１との間に物品の取り出し口が開口され、箱１の開封を容易に行うことができる。また、この場合、中蓋１６が天面の一部を閉鎖しているだけなので、天面の一部（天面の中蓋１６が閉鎖していない部分）と一側面（他方の側面１４に該当する部分）が開放されるので、箱１内部の各アンプルの頂部をつかみやすく、各アンプルを簡単に取り出すことができる。また、箱１から必要な数のアンプルを取り出した後は、中蓋１６の上に上蓋１７を重ね合わせ、上蓋１７の爪４２を中蓋１６の爪受け部４３に差し込み係止することにより、上蓋１７を中蓋１６に固定することができ、箱１を簡易に閉鎖することができる。この場合、爪４２及び爪受け部４３の既述の形状により、爪４２の各辺が爪受け部４３の切り込み部に効果的に引っ掛かって、爪４２は爪受け部４３から（指先を使って引き外さない限り）簡単に外れることがない。これにより、上蓋１７が中蓋１６の上に重ね合わされた状態が維持され、上蓋１７の浮き上がりが確実に防止される。
【００２１】
以上説明したように、この包装用箱Ｂ１では、緩衝部２が、箱１を構成する各面１１〜１７のうち、アンプルの外周部に対向する中蓋１６でこの中蓋１６においてアンプルの頂部側に対応する一端部に延長して形成された緩衝部形成形状部２Ｐにより、中蓋１６の内部側に向けて略直角に折り曲げられて、中蓋１６との間に第１の緩衝空間２０１を形成し、緩衝部２全体を支持するための支持面２１と、この支持面２１に略直角に折り曲げられて、中蓋１６の内側面との間に第１の緩衝空間２０１を介して当該内側面に沿って配置され、アンプルの外周部に接触して、アンプルを保護するための物品外周部保護面２２と、この物品外周部保護面２２の一部に中蓋１６に向けて略直角に折り曲げられ、中蓋１６の内側面に接着固定されて、当該内側面に対して物品外周部保護面２２を突っ張り支持するための物品外周部保護面支持部２３、２３と、この物品外周部保護面２２に略直角に折り曲げられて、アンプルの底部に対向する一方の側面１２の内側面との間に第２の緩衝空間２０２を介して当該内側面に沿って配置され、アンプルの底部に接触して、アンプルを保護するための物品底部保護面２４と、この物品底部保護面２４に略直角に折り曲げられて、中蓋１６に対向する反対側の面、つまり底面１１の内側面に接着固定される固定面２５とを備え、箱１の内部に中蓋１６及び一方の側面１２の各内側面に沿って略Ｌ字形の緩衝空間２０が画成される。すなわち、物品外周部保護面２２は、物品外周部保護面２２と箱１の中蓋１６の内側面との間に固定される物品外周部保護面支持部２３、２３により突っ張り支持されるので、当該保護面２２は撓みにくく、また、物品外周部保護面支持部２３、２３がばね作用を有するので、当該保護面２２全体が十分な弾性（クッション性）を有し、このため、従来のように、物品に対して十分な緩衝効果を得るために、当接面（本発明の場合、物品外周部保護面２２）とアンプルとの当接位置において当接面が支持面に接続されるようにする必要がなく、したがって支持面２１の位置が何ら制限されることがなく、中蓋部（本発明の場合、中蓋１６）のデザインの自由度が制限されることもない。そして、この緩衝部２の場合、箱１の内部に中蓋１６及び一方の側面１２の各内側面に沿って略Ｌ字形の緩衝空間２０を介して物品外周部保護面２２及び物品底部保護面２４が配置され、この箱１の内部に収納されるアンプルの外周部及び底部に対向する２面が２重構造になっているので、アンプルの包装において、十分な緩衝効果を得ることができ、箱１外部の衝撃によるアンプルの破損を確実に防止することができる。
【００２２】
また、包装用箱Ｂ１では、この包装用箱Ｂ１を緩衝部２を含めて１枚の紙基材Ｐを折り曲げて組み立てることにより形成するので、製造工程を簡易化し、コストの低減を図ることができる。
【００２３】
なお、この実施の形態では、物品外周部保護面２２にのみ物品外周部保護面２２を突っ張り支持するための物品外周部保護面支持部２３、２３を設けたが、必要に応じて、物品底部保護面２４に、物品底部保護面２４を突っ張り支持するための物品底部保護面支持部を併せて備えてもよい。この場合、物品底部保護面支持部は物品底部保護面２４の一部に一方の側面１２に向けて略直角に折り曲げ可能に形成され、一方の側面１２の内側面に接着固定される。また、この場合、物品底部保護面支持部は略Ｌ字形に折り曲げ可能な２面からなり、一方の側面１２の内側面に向けて延び、物品底部保護面２４を突っ張り支持するための支持部、及び一方の側面１２の内側面に接着固定するための固定部を有することが好ましい。このようにしても物品底部保護面２４に物品外周部保護面２２と同様の作用効果を得ることができる。
【００２４】
また、この実施の形態では、固定面２５を物品底部保護面２４に他方の側面１４に向けて略直角に連続して底面１１に接着固定したが、この固定面２５を一方の側面１２に向けて略直角に連続して底面１１に接着固定するようにしてもよい。このようにしても緩衝部２を箱１内部に固定して、上記実施の形態と同様の作用効果を奏することができる。
【００２５】
さらに、この実施の形態では、包装用箱Ｂ１は箱１が複数のアンプルをそれぞれ横置きにして水平方向に並列に並べて収納可能な直方体形状に形成されているが、この箱は複数のアンプルその他薬液を収容するガラス容器などの割れやすい物品をそれぞれ縦置きにして水平方向に並列に並べて収納可能な直方体形状に形成されてもよく、この場合でも、箱の一方の側面及び底面の各内側面に沿って略Ｌ字形の緩衝空間を介して物品外周部保護面及び物品底部保護面がそれぞれ、物品外周部保護面支持部により、又は必要に応じて物品外周部保護面支持部及び物品底部保護面支持部により突っ張り支持されて配置され、この箱の内部に収納される各物品の外周部及び底部に対向する２面を２重構造にすることにより、上記実施の形態と同様の作用効果を奏することができる。
【００２６】
図６に第２の実施の形態を示している。図６に示すように、包装用箱Ｂ２は、略直方体形状の箱１からなり、箱１内部に、この箱１内部に収納する複数のアンプルその他薬液を収容するガラス容器などの割れやすい物品（以下、第２の実施の形態の説明において、単に「物品」という。）を箱１外部の衝撃から保護するための緩衝部５を一体に備える。これらの箱１及び緩衝部５は、第１の実施の形態と同様に、ブランクシート（空白紙）を打ち抜いて一体に形成された一枚の紙基材からなり、この紙基材を折り曲げて組み立てることにより形成される。
【００２７】
箱１は、第１の実施の形態と同様に、略矩形状の底面１１とこの底面１１をその４辺に沿って取り囲む４面の側面１２〜１５とからなり、天面を開口されて、複数の物品をそれぞれ各物品の上下方向を底面１１の短辺方向と平行に横置きにして水平方向に並列に並べて収納可能な箱本体１０と、４面の側面１２〜１５のうち、各物品の底部に対向する一方の側面１２の上縁部に連続し、天面を閉鎖可能な中蓋１６、及び各物品の頂部に対向する他方の側面１４の上縁部に連続し、中蓋１６の上に重ねられて天面を閉鎖する上蓋１７とを備え、天面が他方の側面１４とともに開封可能に構成される。
【００２８】
緩衝部５は、箱１を構成する各面のうち、物品の外周部に対向する一面で当該一面において物品の頂部側に対応する一端部、この場合、中蓋１６の物品の頂部側に対応する一端部に箱１の内部側に向けて略直角に折り曲げ可能に連続し、中蓋１６との間に第１の緩衝空間５０１を形成し、緩衝部５全体を支持するための支持面５１と、この支持面５１に中蓋１６の内側面に対して略平行となるように略直角に折り曲げ可能に連続し、中蓋１６の内側面との間に第１の緩衝空間５０１を介して当該内側面に沿って配置され、物品の外周部に接触して、物品を保護するための第１の物品外周部保護面５２１と、第１の物品外周部保護面５２１の一部に中蓋１６に向けて略直角に折り曲げ可能に形成され、中蓋１６の内側面に接着固定されて、当該内側面に対して第１の物品外周部保護面５２１を突っ張り支持するための第１の物品外周部保護面支持部５３１、５３１と、第１の物品外周部保護面５２１に箱１を構成する各面のうち、物品の底部に対向する一方の側面１２との間に第１の緩衝空間５０１に連続する第２の緩衝空間５０２を形成して一方の側面１２の内側面に対して略平行となるように略直角に折り曲げ可能に連続し、一方の側面１２の内側面との間に第２の緩衝空間５０２を介して当該内側面に沿って配置され、物品の底部に接触して、物品を保護するための物品底部保護面５４と、物品底部保護面５４に箱１を構成する各面のうち、中蓋１６に対向する反対側の面で物品の外周部に対向する面、つまり底面１１との間に第２の緩衝空間５０２に連続する第３の緩衝空間５０３を形成して底面１１の内側面に対して略平行となるように側面１４に向けて略直角に折り曲げ可能に連続し、底面１１の内側面との間に第３の緩衝空間５０３を介して当該内側面に沿って配置され、第１の物品外周部保護面５２の反対側で物品の外周部に接触して、物品を保護するための第２の物品外周部保護面５２２と、第２の物品外周部保護面５２２の一部に底面１１に向けて略直角に折り曲げ可能に形成され、底面１１の内側面に接着固定されて、当該内側面に対して第２の物品外周部保護面５２２を突っ張り支持するための第２の物品外周部保護面支持部５３２、５３２と、第２の物品外周部保護面５２２に底面１１の内側面に向けて略直角にかつ底面１１の内側面に面接触するように略Ｌ字形に折り曲げ可能に連続し、底面１１の内側面に接着固定される固定面５５とを備えて構成され、箱１の内部に中蓋１６、一方の側面１２、底面１１に沿って略Ｕ字形の緩衝空間５０が画成される。
【００２９】
このように包装用箱Ｂ２では、第１の物品外周部保護面５２１は、第１の物品外周部保護面５２１と中蓋１６の内側面との間に固定される第１の物品外周部保護面支持部５３１、５３１により突っ張り支持されるので、当該保護面５２１は撓みにくく、また、第１の物品外周部保護面支持部５３１、５３１がばね作用を有するので、当該保護面５２１全体が十分に弾性を有し、このため、従来のように、物品に対して十分な緩衝効果を得るために、当接面（本発明の場合、第１の物品外周部保護面５２１）と物品との当接位置において当接面が支持面に接続されるようにする必要がなく、したがって支持面の位置が何ら制限されることがなく、中蓋部（本発明の場合、中蓋１６）のデザインの自由度が制限されることもない。第２の物品外周部保護面５２２についても第１の物品外周部保護面５２１と同様の作用効果がある。そして、この緩衝部５の場合、箱１の内部に箱１の中蓋１６、一方の側面１２及び底面１１の各内側面に沿って略Ｕ字形の緩衝空間５０を介して第１の物品外周部保護面５２１、物品底部保護面５４及び第２の物品外周部保護面５２２がそれぞれ、第１、第２の物品外周部保護面支持部５３１、５３１、５３２、５３２により突っ張り支持されて配置され、この箱１の内部に収納される物品の外周部、反対側の外周部及び底部に対向する３面が２重構造になっているので、物品の包装において、緩衝効果はさらに増大し、物品の破損を確実に防止することができる。
【００３０】
なお、この実施の形態では、各物品外周部保護面５２１、５２２に物品外周部保護面５２１、５２２を突っ張り支持するための物品外周部保護面支持部５３１、５３１、５３２、５３２を設けたが、必要に応じて、物品底部保護面５４に、物品底部保護面５４を突っ張り支持するための物品底部保護面支持部を併せて備えてもよい。この場合、物品底部保護面支持部は物品底部保護面の一部に一方の側面に向けて略直角に折り曲げ可能に形成され、一方の側面の内側面に接着固定される。また、この場合、物品底部保護面支持部は略Ｌ字形に折り曲げ可能な２面からなり、一方の側面の内側面に向けて延び、物品外周部保護面を突張り支持するための支持部、及び一方の側面の内側面に接着固定するための固定部を有することが好ましい。このようにしても物品底部保護面に物品外周部保護面と同様の作用効果を得ることができる。
【００３１】
また、この実施の形態では、固定面５５を略Ｌ字形に形成して底面１１に対する接触面を他方の側面１４に向けて延ばし底面１１に接着固定したが、この固定面５５を略逆Ｌ字形に形成して底面１１に対する接触面を側面１２に向けて延ばし底面１１に接着固定するようにしてもよい。このようにしても緩衝部５を箱１内部に固定して、上記実施の形態と同様の作用効果を奏することができる。
【００３２】
さらに、この実施の形態では、包装用箱Ｂ２は箱１が物品をそれぞれ横置きにして水平方向に並列に並べて収納可能な直方体形状に形成されているが、この箱は物品をそれぞれ縦置きにして水平方向に並列に並べて収納可能に直方体形状に形成されてもよく、この場合でも、箱の一方の側面、底面及び他方の側面の各内側面に沿って略Ｕ字形の緩衝空間を介して物品外周部保護面、反対側の物品外周部保護面及び物品底部保護面が配置され、この箱の内部に収納される物品の外周部、反対側の外周部及び底部に対向する３面を２重構造にして、上記実施の形態と同様の作用効果を奏することができる。
【符号の説明】
【００３３】
Ｂ１  包装用箱
１  箱
１０  箱本体
１１  底面（反対側の一面）
１２  側面（他の一面）
１３  側面
１４  側面
１５  側面
１６  中蓋（箱の一面）
１７  上蓋
２  緩衝部
２０  緩衝空間
２０１  第１の緩衝空間
２０２  第２の緩衝空間
２１  支持面
２２  物品外周部保護面
２３  物品外周部保護面支持部
２３１  支持部
２３２  固定部
２４  物品底部保護面
２５  固定面
Ｐ  紙基材
１１Ｐ  底面部分
１２Ｐ  長い一方の側面部分
１３１Ｐ  短い上側一方の側面部分
１３２Ｐ  短い下側一方の側面部分
１４Ｐ  長い他方の側面部分
１５１Ｐ  短い上側他方の側面部分
１５２Ｐ  短い下側他方の側面部分
１６Ｐ  中蓋部分
１７Ｐ  上蓋部分
１８１、１８２  フラップ
１９１、１９２  フラップ
３１、３２、３３、３４、３５  折れ線
３６１、３６２、３７１、３７２、３８１、３８２、３９１、３９２  折れ線
４１  つまみ片
４２  爪
４３  爪係止部
４１１  切り込み
４１２  切り込み
４１３  直状切り込み部
４１４  湾曲状切り込み部
２Ｐ  緩衝部形成形状部
２１Ｐ  支持面部分
２２Ｐ  物品外周部保護面部分
２３Ｐ  物品外周部保護面支持部分
２３１Ｐ  支持部分
２３２Ｐ  固定部分
２４Ｐ  物品底部保護面部分
２５Ｐ  固定面部分
４４〜４７  折れ線
４８  折れ線
Ｂ２  包装用箱
５  緩衝部
５０  緩衝空間
５０１  第１の緩衝空間
５０２  第２の緩衝空間
５０３  第３の緩衝空間
５１  支持面
５２１  第１の物品外周部保護面
５２２  第２の物品外周部保護面
５３１  第１の物品外周部保護面支持部
５３２  第２の物品外周部保護面支持部
５４  物品底部保護面
５５  固定面
【図１】
2012041082.tif 000003
【図２】
2012041082.tif 000004
【図３】
2012041082.tif 000005
【図４】
2012041082.tif 000006
【図５】
2012041082.tif 000007
【図６】
2012041082.tif 000008